(57)【特許請求の範囲】
【請求項１】
筐体と、
透光性を有する材料により形成され、光源が発する光を透過して放射するキートップと、
前記キートップを囲繞する環状の基部であって、当該環状の基部の前記光源との対向面とは反対側の面において当該面に直交する方向から見て前記光源とは重複しない領域が、前記キートップに向かって厚みが小さくなるように傾斜する環状の基部と、前記環状の基部の外周面から突出して形成され前記筐体の一部に係合するとともに、光源が発する光を導光して放射するフランジ部とを有する多方向入力ユニットと、
前記多方向入力ユニットの一部を貫通させる貫通穴を備え、前記フランジ部に当接されて前記筐体に固定されるカバーと、
を備えたことを特徴とする電子機器。
【請求項２】
前記フランジ部は、前記光源が発する光を拡散させる光拡散材を含むことを特徴とする請求項１に記載の電子機器。
【請求項３】
前記基部と前記フランジ部とは、透光性を有する材料により一体形成されるとともに、前記基部には遮光処理が施されていることを特徴とする請求項１又は２に記載の電子機器。
【請求項４】
前記環状の基部は、前記貫通穴を貫通し、
前記貫通穴と前記環状の基部との間に、前記フランジ部から放射される光を導光する隙間を有することを特徴とする請求項１乃至３のいずれか１項に記載の電子機器。
【発明の詳細な説明】
【技術分野】
【０００１】
本発明は、電子機器に関する。
【背景技術】
【０００２】
従来、携帯電話などの電子機器では、透光性のキートップを含むキーモジュールを筐体に収容し、光源が発する光をキートップに導光して放射させるようにしたものが知られている。光源が発する光をキートップから放射させることにより、イルミネーション効果を得ることができる。
【０００３】
このような電子機器における入力ユニットの一つとして、多方向入力ユニットが知られている。例えば下記特許文献１には、ユーザによる回転・押し下げ・傾倒操作を受付ける構成とされた回転操作型エンコーダを備えた入力ユニットが説明されている。この回転操作型エンコーダは、視認性の向上を目的として、多方向入力ユニット全体を透光性を有する材料により形成し、光源が発する光を多方向入力ユニットから放射させる構成となっている。
【先行技術文献】
【特許文献】
【０００４】
【特許文献１】特開２０００−２１５７６１号公報
【発明の概要】
【発明が解決しようとする課題】
【０００５】
しかしながら、上述の先行技術文献１に記載の技術では、光源が発する光を利用したイルミネーション効果を向上させるとともに筐体からの部品の離脱を防止することは考慮されていない。
【０００６】
すなわち、従来技術では、光源が発する光を透光性の多方向入力ユニット全体から放射するため照明の目新しさに欠け、ユーザを視覚的に満足するに至っていない。このため、光源が発する光を利用したイルミネーション効果の更なる向上が望まれている。また、従来技術では、筐体からの多方向入力ユニットの離脱を防止する工夫が全く行われていないため、ユーザの操作を受けた多方向入ユニットが筐体から脱落して失われる恐れがある。
【０００７】
開示の技術は、上記に鑑みてなされたものであって、イルミネーション効果を向上させるとともに筐体からの部品の離脱を防止することができる電子機器を提供することを目的とする。
【課題を解決するための手段】
【０００８】
上述した課題を解決し、目的を達成するため、本願に開示する電子機器は、筐体と環状の基部と、前記環状の基部の外周面から突出して形成され前記筐体の一部に係合するとともに、光源が発する光を導光して放射するフランジ部とを有する多方向入力ユニットと、前記多方向入力ユニットの一部を貫通させる貫通穴を備え、前記フランジ部に当接されて前記筐体に固定されるカバーと、を備えた。
【発明の効果】
【０００９】
本願の開示する電子機器の一つの態様によれば、イルミネーション効果を向上させるとともに筐体からの部品の離脱を防止することができるという効果を奏する。
【図面の簡単な説明】
【００１０】
【図１】図１は、本実施例に係る携帯電話機の表示側筐体をスライドさせずに閉じた状態の外観を示す斜視図である。
【図２】図２は、本実施例に係る携帯電話機の表示側筐体をスライドさせて開いた状態の外観を示す斜視図である。
【図３】図３は、本実施例に係る携帯電話機の表示側筐体の分解斜視図である。
【図４】図４は、多方向入力ユニットの拡大斜視図である。
【図５】図５は、多方向入力ユニットの平面図である。
【図６】図６は、多方向入力ユニットの側面図である。
【図７】図７は、多方向入力ユニットの設置状態を示す表示側筐体の断面図である。
【発明を実施するための形態】
【００１１】
以下に、本願の開示する電子機器の実施例を図面に基づいて詳細に説明する。なお、この実施例により本願の開示する電子機器が限定されるものではない。例えば、以下の実施例では、電子機器の一例として携帯電話機を挙げて説明するが、これに限らず、ＰＤＡ（Personal  Digital  Assistant）などの他の電子機器にも以下の実施例を適用することができる。
【実施例】
【００１２】
図１は、本実施例に係る携帯電話機の表示側筐体をスライドさせずに閉じた状態の外観を示す斜視図である。図２は、本実施例に係る携帯電話機の表示側筐体をスライドさせて開いた状態の外観を示す斜視図である。図３は、本実施例に係る携帯電話機の表示側筐体の分解斜視図である。
【００１３】
図１および図２に示すように、本実施例の携帯電話機１００は、表示側筐体１１０と操作側筐体１９０とを備える。表示側筐体１１０と操作側筐体１９０は、図示しないスライド機構を介して相対的にスライド移動可能に連結されている。図１は、表示側筐体１１０がスライドされておらず、表示側筐体１１０と操作側筐体１９０とが全面的に重なり合っている閉状態を示している。また、図２は、表示側筐体１１０がスライドされて、表示側筐体１１０と操作側筐体１９０とが最小の重なり範囲で重なった開状態を示している。このようなスライド型の携帯電話機１００は、一般に、非使用時には表示側筐体１１０と操作側筐体１９０とが重ねられて閉状態となる。
【００１４】
図３に示すように、表示側筐体１１０は一面が開口されている。表示側筐体１１０内の空間は、表示側筐体１１０の底面から立設する隔壁１１２によって仕切られており、部品を収容する第１の空間１１４と第２の空間１１６とが形成される。第１の空間１１４には、表示部１２０が収容される。また、第２の空間１１６には、表示側筐体１１０の底面に両面テープ１２８を介して貼り付けられるプリント基板モジュール１３０と、プリント基板モジュール１３０上に配置されるフロントキーモジュール１７０とが収容される。フロントキーモジュール１７０は、携帯電話機１００の各種操作を行うための操作モジュールである。
【００１５】
表示部１２０は、表示モジュール１２２と、パッキン１２４と、液晶パネルなどの表示パネル１２６とを有して構成される。表示側筐体１１０の底面側に表示モジュール１２２が収容され、パッキン１２４を介して表示パネル１２６が表示側筐体１１０の開口側に収容される。パッキン１２４は、表示パネル１２６と表示モジュール１２２の間に介挿され、表示モジュール１２２の表示面の周囲を封止する。これにより、表示パネル１２６と表示モジュール１２２の表示面との間への異物の進入を防止することができる。また、パッキン１２４は、表示パネル１２６を表示モジュール１２２の表示面から離間させて、表示面に表示パネル１２６が接触することによる表示のにじみなどを防止する。
【００１６】
プリント基板モジュール１３０は、フロントキーモジュール１７０側の表面に複数のメタルドーム１３２などの接点スイッチが設けられるとともに、複数のＬＥＤ１３４（Light  Emitting  Diode）などの各種部品が実装される。複数のＬＥＤ１３４のうちの一部は、フロントキーモジュール１７０の複数のキートップ１７４のうち後述する中央キートップ１７４ａに対応する位置に実装され、プリント基板モジュール１３０からの給電を受けて中央キートップ１７４ａに向けて光を発する。
【００１７】
フロントキーモジュール１７０は、プリント基板モジュール１３０上に載置される矩形のベースラバー１７２と、ベースラバー１７２上に貼り付けられた複数のキートップ１７４とを備える。また、フロントキーモジュール１７０は、ベースラバー１７２上に貼り付けられる多方向入力ユニット１７６と、ベースラバー１７２上に設けられるカバー１７８とを備える。ベースラバー１７２は、透光性を有する材料により形成されており、プリント基板モジュール１３０に実装されたＬＥＤ１３４が発する光を中央キートップ１７４ａへ導光する。ベースラバー１７２のプリント基板モジュール１３０側の面には、メタルドーム１３２の位置に対応する位置に、メタルドーム１３２を押下する突起状の押し子が形成されており、ユーザのキートップ１７４の押下操作によって、メタルドーム１３２を押下する。
【００１８】
複数のキートップ１７４は、ベースラバー１７２の３辺に沿うように貼り付けられる。また、複数のキートップ１７４には、それぞれ、ベースラバー１７２の中央方向を臨む側面からベースラバー１７２の中央方向に突出するフランジ部１８０が形成される。また、複数のキートップ１７４のうちベースラバー１７２の中央位置に設けられた中央キートップ１７４ａは、ユーザの決定操作を受付けるいわゆる決定キーである。中央キートップ１７４ａは、透光性を有する材料により形成されている。中央キートップ１７４ａは、プリント基板モジュール１３０に実装されたＬＥＤ１３４が発する光を導光して外部へ放射する。これにより、ＬＥＤ１３４が発する光が中央キートップ１７４ａを介してユーザに照明として伝達され、イルミネーション効果が得られる。
【００１９】
多方向入力ユニット１７６は、ベースラバー１７２の略中央部上に貼り付けられる。多方向入力ユニット１７６は、回転・押し下げ・傾倒操作が可能な構成とされた回転操作型エンコーダを備えた入力ユニットである。多方向入力ユニット１７６の詳細は後述する。
【００２０】
カバー１７８は、矩形の板状に形成されるとともに、中央部に多方向入力ユニット１７６の一部を貫通させる貫通穴１８６が形成される。また、カバー１７８の表示側筐体１１０側の面の４隅にはネジ穴１８８が形成されており、表示側筐体１１０の背面に形成されたネジ貫通穴１１８から挿入されるネジ１１９と、ネジ穴１８８によってカバー１７８は表示側筐体１１０に固定される。カバー１７８を表示側筐体１１０へ固定することによって、カバー１７８は、キートップ１７４のフランジ部１８０と多方向入力ユニット１７６の後述のフランジ部１５０とに当接し、キートップ１７４と多方向入力ユニット１７６の離脱を防止する。カバー１７８を表示側筐体１１０へ固定した状態では、カバー１７８は、表示側筐体１１０の一部となる。
【００２１】
操作側筐体１９０には、携帯電話機１００の各種操作を行うためのキーモジュール１９２が収容される。また、操作側筐体１９０には、携帯電話機１００の通信に関する信号処理、および表示パネルに文字や画像を表示させるための信号処理などの各種処理を行う部品が搭載された本体プリント基板モジュールが収容される。また、操作側筐体１９０の側面には、例えば通話音量の調整用の操作キー１９４が設けられる。
【００２２】
次に、多方向入力ユニット１７６の詳細を説明する。図４は、多方向入力ユニット１７６の拡大斜視図である。図５は、多方向入力ユニット１７６の平面図である。図６は、多方向入力ユニット１７６の側面図である。図７は、多方向入力ユニット１７６の設置状態を示す表示側筐体１１０の断面図である。
【００２３】
図４〜図６に示すように、多方向入力ユニット１７６は、回転操作型エンコーダを内部に搭載した入力ユニットであり、環状に形成された基部１４０と、環状の基部１４０の外周面から突出して形成されたフランジ部１５０とを有する。
【００２４】
環状の基部１４０は、ベースラバー１７２の中央キートップ１７４ａ（図３参照）を囲繞するように環状に形成されている。また、環状の基部１４０のベースラバー１７２と反対側の面には、基部１４０の中央方向に向かって厚みが小さくなるように傾斜する傾斜部１４２が形成される。傾斜部１４２には、基部１４０の中央に対して放射状に配置される複数の突起１４４が設けられる。傾斜部１４２および複数の突起１４４は、多方向入力ユニット１７６に対するユーザの回転・押し下げ・傾倒操作を受け付けて回転操作型エンコーダに伝達する。これにより、回転操作型エンコーダによる種々の機能が実現される。
【００２５】
また、環状の基部１４０は、カバー１７８の貫通孔１８６を貫通し、貫通孔１８６と基部１４０との間に、後述のフランジ部１５０から放射される光を導光する隙間を形成する。
【００２６】
フランジ部１５０は、表示側筐体１１０に固定された状態のカバー１７８に係合する。すなわち、フランジ部１５０は、カバー１７８が表示側筐体１１０に固定された状態でカバー１７８と重合する。これにより、ユーザの操作を受付けた多方向入力ユニット１７６がベースラバー１７２と離れる方向に姿勢を崩した場合でも、フランジ部１５０がカバー１７８と当接するため、表示側筐体１１０からの多方向入力ユニット１７６の離脱を防止することができる。
【００２７】
また、フランジ部１５０は、透光性を有する材料により形成されている。フランジ部１５０は、プリント基板モジュール１３０に実装されたＬＥＤ１３４が発する光を導光して外部へ放射する。これにより、ＬＥＤ１３４が発する光がフランジ部１５０を介してユーザに照明として伝達され、中央キートップ１７４ａからの照明と協働した独特のイルミネーション効果が得られる。
【００２８】
また、フランジ部１５０は、ＬＥＤ１３４が発する光を拡散させる光拡散材を含んでいる。光拡散材は、例えば、透光性を有する球状の微小粒子である。フランジ部１５０は、ＬＥＤ１３４が発する光をかかる光拡散材に当てることにより、光を周囲に均一に分散させることができ、フランジ部１５０の外観を光で強調した幻想的な雰囲気を醸し出すことができる。
【００２９】
さらに、本実施例の基部１４０とフランジ部１５０とは、透光性を有する材料により一体形成されるとともに、基部１４０のみに遮光処理１４０ａが施されている。このように、基部１４０とフランジ部１５０とを同一の材料により一体形成することにより、多方向入力ユニット１７６の製造コストを削減することができる。さらに、基部１４０のみに遮光処理１４０ａを施すことにより、ＬＥＤ１３４が発する光を基部１４０により遮光するとともにフランジ部１５０へ容易に導光させることができる。その結果、フランジ部１５０からの照明と中央キートップ１７４ａからの照明とを協働させた独特のイルミネーション効果を効率的に実現することができる。
【００３０】
次に、多方向入力ユニット１７６と中央キートップ１７４ａとによる照明作用について説明する。プリント基板モジュール１３０に実装されたＬＥＤ１３４から発せられた光の一部は、ベースラバー１７２の中央キートップ１７４ａに向かって進み、中央キートップ１７４ａを透過することにより中央キートップ１７４ａから外部へ放射される。これにより、ＬＥＤ１３４から発せられた光の一部が、図７に示すように、中央キートップ１７４ａを介してユーザに照明Ｐとして伝達される。
【００３１】
一方、ＬＥＤ１３４から発せられた光の他の一部は、多方向入力ユニット１７６に向かって進み、基部１４０により遮光される一方でフランジ部１５０を透過することにより、基部１４０とカバー１７８との隙間から外部へ放射される。これにより、ＬＥＤ１３４から発せられた光の他の一部が多方向入力ユニット１７６のフランジ部１５０を介してユーザに照明Ｑとして伝達される。
【００３２】
このように、中央キートップ１７４ａからの照明Ｐと多方向入力ユニット１７６のフランジ部１５０からの照明Ｑとを協働させることにより、ユーザに対して新鮮な見栄えの照明を伝達することができる。その結果、イルミネーション効果を効率的に向上させることができる。
【００３３】
上述してきたように、本実施例では、中央キートップ１７４ａの外周面を囲繞する環状の基部１４０の外周面からフランジ部１５０を突出形成し、フランジ部１５０を表示側筐体１１０の一部となるカバー１７８に係合する。これとともに、フランジ部１５０によりＬＥＤ１３４が発する光を導光して放射する。このため、本実施例によれば、イルミネーション効果を向上させるとともに表示側筐体１１０からの多方向入力ユニット１７６の離脱を防止することができる。
【００３４】
また、本実施例では、フランジ部１５０は、ＬＥＤ１３４が発する光を発散させる光拡散材を含んでいる。このため、本実施例によれば、フランジ部１５０がＬＥＤ１３４からの光を光拡散材に当てることにより、光を周囲に均一に分散させることができ、フランジ部１５０の外観を光で強調した幻想的な雰囲気を醸し出すことができる。
【００３５】
また、本実施例では、基部１４０とフランジ部１５０とは、透光性を有する材料により一体形成されるとともに、基部１４０には遮光処理が施されている。このため、本実施例によれば、多方向入力ユニット１７６の製造コストを可及的に削減するとともに、フランジ部１５０からの照明と中央キートップ１７４ａからの照明とを協働させた独特のイルミネーション効果を容易に実現することができる。
【００３６】
（他の実施例）
さて、これまで本発明の実施例について説明したが、本発明は上述した実施例以外にも、特許請求の範囲に記載した技術的思想の範囲内において、種々の異なる実施例にて実施することもできる。
【００３７】
すなわち、本実施例では、表示側筐体１１０と操作側筐体１９０とをスライド移動可能に連結するスライド機構を用いたスライド方式の携帯電話機を例に挙げて説明したが、本願の開示する電子機器は、スライド方式以外の携帯電話機にも適用することができる。例えば、本願の開示する電子機器は、折り畳み方式や平面回転方式の連結機構により一方の筐体に対して他方の筐体を可動自在とした携帯電話機にも同様に適用することができる。
【００３８】
また、本実施例では、電子機器を携帯電話機へ適用する例を説明したが、本願の開示する電子機器は、これに限定されるものではない。例えば、本願の開示する電子機器は、ＰＤＡのような小型情報処理端末、小型音楽再生装置、携帯テレビ、携帯型ゲーム機等の他の各種の電子機器にも適用することができる。
【符号の説明】
【００３９】
１００  携帯電話機（電子機器）
１１０  表示側筐体（筐体）
１１２  隔壁
１１４  第１の空間
１１６  第２の空間
１１８  ネジ貫通穴
１１９  ネジ
１２０  表示部
１２２  表示モジュール
１２４  パッキン
１２６  表示パネル
１２８  両面テープ
１３０  プリント基板モジュール
１３２  メタルドーム
１３４  ＬＥＤ（光源）
１４０  基部
１４０ａ  遮光処理
１４２  傾斜部
１４４  突起
１５０  フランジ部
１７０  フロントキーモジュール（キーモジュール）
１７２  ベースラバー
１７４  キートップ
１７４ａ  中央キートップ
１７６  多方向入力ユニット
１７８  カバー
１８０  フランジ部
１８６  貫通穴
１８８  ネジ穴
１９０  操作側筐体
１９２  キーモジュール
１９４  操作キー
【図１】
0005752920.tif 000002
【図２】
0005752920.tif 000003
【図３】
0005752920.tif 000004
【図４】
0005752920.tif 000005
【図５】
0005752920.tif 000006
【図６】
0005752920.tif 000007
【図７】
0005752920.tif 000008